(57)【特許請求の範囲】
【請求項１】
小孔を通過する体内排泄物を収容する人工肛門用袋であって、
ａ）ガス状および半液体排泄物を含む体内排泄物の収集室を形成し、軟質プラスチツクシート材料から作られるエンベロープであって、内部表面部と頂部端部を有するエンベロープ；
ｂ）上記エンベロープの頂部端部に近接して形成される排泄物入口用開口であつて、所定の大きさを有しかつ該開口を小孔の周囲にフィットさせる手段を有する排泄物入口用開ロ；
ｃ）上記エンベロープの頂部端部に近接して形成され、かつ排泄物入口用開口と間隔をあけたガス出口手段；
ｄ）ガス状排泄物が人工肛門用袋から上記ガス出口手段を介して流出する前にガス状排泄物を脱臭するため、ガス出口手段と整合してエンベロープに接合した脱臭フィルター；および
ｅ）上記脱臭フィルターを半液体排泄物との接触から保護し、かつガス状排泄物の流れを可能ならしめ、かつ半液体排泄物の流れを阻止する、連続気泡フォーム材料からなる保護手段であって、上記エンベロープの中に位置して、ガス状排泄物が脱臭フィルターを通過する前に必ず該保護手段を通過するように、脱臭フィルターに先行するようになっている保護手段
から成り、上記保護手段が脱臭フィルターを覆い隠し、および該保護手段をカバーするカバー層が設けられ、該カバー層は流体に対し不浸透性で、かつエンベロープに不連続接着で接合して、その接着不連続点で流体入口を付与し、流体入口は排泄物ガスがカバー層を避けて進み、次いで後の脱臭フイルターヘの通過のために保護手段を通過するのを可能ならしめることを特徴とする人工肛門用袋。
【請求項２】
脱臭フィルターが、保護手段と向かい合った流体不浸透面と、流体浸透性周囲縁を有することにより、保護手段を通過するガス状排泄物が脱臭フィルターの流体浸透性周囲縁のみしか浸入できないようになっている請求項１に記載の人工肛門用袋。
【請求項３】
連続気泡フオーム材料が、１インチ当り約３０個の気孔を有する第１層と、１インチ当り約４５個の気孔を有する第２隣接層を包含し、両層はガス状排泄物が第２隣接層を通過する前に第１層を通過するように配列されている請求項１に記載の人工肛門用袋。
【請求項４】
連続気泡フォーム材料が、１インチ当り４０個の気孔を有する単一層である請求項１に記載の人工肛門用袋。
【請求項５】
小孔を通過する体内排泄物を収容する人工肛門用袋であって、
ａ）ガス状および半液体排泄物を含む体内排泄物の収集室を形成し、軟質プラスチツクシート材料から作られるエンベロープであって、内部表面部と頂部端部を有するエンベロープ；
ｂ）上記エンベロープの頂部端部に近接して形成される排泄物入口用開口であつて、所定の大きさを有しかつ該開口を小孔の周囲にフィットさせる手段を有する排泄物入口用開ロ；
ｃ）上記エンベロープの頂部端部に近接して形成され、かつ排泄物入口用開口と間隔をあけたガス出口手段；
ｄ）ガス状排泄物が人工肛門用袋から上記ガス出口手段を介して流出する前にガス状排泄物を脱臭するため、ガス出口手段と整合してエンベロープに接合した脱臭フィルター；および
ｅ）上記脱臭フィルターを半液体排泄物との接触から保護し、かつガス状排泄物の流れを可能ならしめ、かつ半液体排泄物の流れを阻止する、連続気泡フォーム材料からなる保護手段であって、上記エンベロープの中に位置して、ガス状排泄物が脱臭フィルターを通過する前に必ず該保護手段を通過するように、脱臭フィルターに先行するようになっている保護手段
から成り、エンベロープが、排泄物収集室に隣接しかつ排泄物収集室とエンベロープの頂部端部で通じているガス出口室を有し、排泄物入口用開口が排泄物収集室に設けられ、脱臭フィルターがガス出口室に設けられ、保護手段がガス出口室に設けられ；保護手段がエンベロープの頂部端部と脱臭フィルター間に配置され、保護手段のいずれの部分も脱臭フィルターと重なり合わないようになっていることを特徴とする人工肛門用袋。
【請求項６】
排泄物収集室とガス出口室がエンベロープの連絡口を介して通じており、保護手段が連絡口を横切って延びている請求項５に記載の人工肛門用袋。
【請求項７】
ガス出口室が排泄物収集室よりも容積が小さい請求項５に記載の人工肛門用袋。
【請求項８】
連続気泡フオーム材料が、１インチ当り約３０個の気孔を有する第１層と、１インチ当り約４５個の気孔を有する第２隣接層を包含し、両層はガス状排泄物が第２隣接層を通過する前に第１層を通過するように配列されている請求項５に記載の人工肛門用袋。
【請求項９】
連続気泡フォーム材料が、１インチ当り４０個の気孔を有する単一層である請求項５に記載の人工肛門用袋。
【請求項１０】
人工肛門用袋の使用中そのガス脱臭フィルターの汚染を防止する、該人工肛門用袋の製造法であって、
ａ）人工肛門用袋の壁に排泄物ガスの出口（３６）を形成し、
ｂ）人工肛門用袋の内側に上記ガス出口と整合させて、排泄物ガスの脱臭フィルター（４０）を接着せしめ、
ｃ）該脱臭フィルターに先行してこれをカバーする、多孔質保護フィルム（６０）を設け、次いで
ｄ）半液体排泄物の通過は阻止するが、ガス排泄物の通過を可能ならしめる、連続気泡フォーム材料のガス透過性保護フィルター（７０）を設け、かつ該保護フィルターを上記多孔質保護フィルムに先行してこれをカバーするように設置することにより、人工肛門用袋内のガス状排泄物が脱臭フィルターに浸入する前に必ず保護フィルター（７０）および多孔質保護フィルム（６０）を通過するようにし、および
ｅ）上記保護フィルターを流体に対し不浸透性のカバー層でカバーし、かつ該カバー層をエンベロープに不連続接着で接合せしめ、その接着不連続点で流体入口を付与し、流体入口は排泄物ガスがカバー層を避けて進み、次いで後の脱臭フイルターヘの通過のために保護フィルターを通過するのを可能ならしめる
ことを特徴とする人工肛門用袋の製造法。
【請求項１１】
多孔質保護フィルムが微孔質フィルムである請求項１０に記載の製造法。
【発明の詳細な説明】
【０００１】
【産業上の利用分野】
本発明は多段フィルターを持つ人工肛門用袋、更に詳しくは、人工肛門用袋に収集される半液体排泄物による接触汚染を防止する新規な多段フィルターを備えた人工肛門用袋に関する。
【０００２】
【従来の技術および発明が解決しようとする課題】
小孔（ｓｔｏｍａ，  ストマ）から人工肛門用袋に放出されるガス並びに人工肛門用袋に閉じ込めた排泄物から発するガスは通常、脱臭フィルターを介して排出されている。従って、人工肛門用袋内の通常脱臭フィルターに隣接する箇所にガス出口が設けられ、ガスの外方流れが脱臭フィルターを通過するように確保されている。
【０００３】
ほとんどの人工肛門用袋は一般に、脱臭フィルターの脱臭能力の効力がなくなり始める前の数日間において着用することができる。そして使い果したフィルターは、Ｕ．Ｓ．特許Ｎｏ．５０８５６５２の人工肛門用袋のように、人工肛門用袋がフィルターの交換設備を有する場合には、交換することができる。しかし、Ｕ．Ｓ．特許Ｎｏ．５０７４８５１の人工肛門用袋のようにフィルターの交換設備が無い場合には、脱臭フィルターがもはや有効な脱臭剤になりえなくなると、袋全体が廃棄され、交換に付される。
【０００４】
脱臭フィルターが不注意により、人工肛門用袋にたまった排泄物との接触で汚染された場合、使い捨ての人工肛門用袋を直ちに交換することが望まれる。排泄物と脱臭フィルターの接触は、特に排泄物が液体または半液体稠度を有する場合に、着用者が袋の内容物を脱臭フィルターの方へ移動させる、物理的活動の結果として起こりうる。
【０００５】
脱臭フィルターの半液体排泄物による接触は、フィルターを詰まらせることが少なくなく、これによって、適切な脱臭作用および排泄物ガスの排気が妨害される。脱臭フィルターが半液体排泄物による接触で汚染され、かつ該汚染が脱臭フィルターの機能を妨げるときはいつも、出来るだけ早く脱臭フィルターまたは袋を交換しなければならない。排泄物による接触汚染のため、脱臭フィルターおよび／または人工肛門用袋の加速的交換の必要は一般的に、着用者にとって不便である。
【０００６】
また半液体排泄物との接触によるフィルター汚染は、人工肛門用袋が相対的に水平位置にあることから、着用者個人が眠っているときあるいは寄りかかっているときにも、普通に起こりうる。このような場合、フィルターの目詰まりに基づきガス排気の速度が低下するため、袋内のガス圧が増大しうる。従って、小孔付近の袋シールにおける望ましくない破断によって、圧力解放が起こりうる。もし漏れあるいはシール破断が見つからないと、着用者個人の衣類を汚すことになる。
【０００７】
従って、半液体排泄物が脱臭要素を汚染するのを防止するが、ガス状排泄物が脱臭要素を介して排出されるのを抑制しない、多段フィルターシステムを持つ人工肛門用袋を提供することが望まれる。
【０００８】
本発明の幾つかの目的の中で、注目される目的は新規な人工肛門用袋、すなわち、半液体排泄物が脱臭要素を汚染するのを防止するが、ガス状排泄物が脱臭要素を通過するのを可能ならしめる、脱臭要素のための保護手段を持つ新規な人工肛門用袋；脱臭要素が半液体排泄物による接触汚染を防止するのを可能ならしめる、ガス脱臭用の新規多段フィルターシステムを持つ新規な人工肛門用袋；２つの室を有し、１つの室が小孔に掛合する開口を含有し、他の室がガス脱臭フィルターを含有している新規な人工肛門用袋；半液体排泄物収集室とガス出口室を有し、該ガス出口室がその中のガス脱臭フィルターに到達する半液体排泄物に対し保護されている新規な人工肛門用袋の提供、並びにかかるガス脱臭フィルターの汚染を防止する、該人工肛門用袋の新規製造法の提供にある。
なお、本発明の他の目的および特徴については、一部当業者にとって自明であり、また−部は以下の説明から明らかになるであろう。
【０００９】
【発明の構成と効果】
本発明によれば、多段フィルターは、半液体排泄物を通さない、脱臭要素のガス透過性保護手段を包含する。ガス透過性保護手段は、脱臭要素またはフィルターに先行して、ガス状排泄物が脱臭フィルターを通過する前に必ず保護手段を通過するようになっている。
【００１０】
本発明の１つの具体例において、多段フィルターは、臭いの除去を意図した脱臭フィルター、脱臭フィルターの液体からの保護を意図した微孔質保護フィルム、微孔質フィルムを半固体流体および液体から保護する連続気泡フォームバリヤー、および多段フィルターにおいて他の段層部材を実質的に覆う、ガス通路を持つ流体不浸透性のプラスチックフィルムカバーを包含する。フィルムカバーは、他の段層部材を半固体液体の大半から保護し、かつガスがガス通路を通過するのを可能ならしめることが意図されている。従って、流体不浸透性のフィルムカバーは、不連続接着ラインに沿って接着され、この不連続性は、人工肛門用袋からの偶発的な排出の場合に、ガスが後に続く段層部材を介して脱臭フィルターへ流通する接近路を付与する。
【００１１】
本発明の他の具体例において、人工肛門用袋は２つの室構造体であって、１つの室に排泄物入口用開口が設けられ、該開口は半液体排泄物およびガス状排泄物を受容する。他の室には、ガス出口と脱臭要素を有する多段フィルターとが設けられている。２つの室は、連絡口または開口を介して互いに通じている。
【００１２】
ガス透過性であるが、半液体および半固体流体排泄物を通さない多段フィルターは、ガス出口室に設けられる。多段フィルターは、ガス出口室を横切って、好ましくは連絡口およびガス出口室を横切って配置した連続気泡フォームバリヤーを包含する。フォームバリヤーは脱臭フィルターにオーバーレイしないが、異なるレベルで、脱臭フィルターを通るガス状排泄物の流路に対して、脱臭フィルターに先行できるようになっている。従って、ガス状排泄物は脱臭フィルターを通過する前に必ずフォームバリヤーを通過する。
【００１３】
多段フィルターはさらに、脱臭要素またはフィルターを取巻く微孔質保護フィルムを包含する。
いずれの具体例においても、多段フィルターは半液体排泄物を通さないが、ガス状排泄物の通過を可能ならしめる。このように脱臭フィルターは、半液体排泄物による接触から保護される。脱臭フィルターは、半液体排泄物との目詰まり接触が回避されることにより、その定格寿命にわたって有効に作用することができ、これによって、フィルターの交換または袋の交換が必要となるまで、通常の使用期間にわたって人工肛門用袋を使用することができる。
【００１４】
すなわち、本発明は以下に説明する構成および方法から成り、その技術的範囲は、特許請求の範囲に示される。
【００１５】
添付図面において、
図１は、本発明の一例を具体化した人工肛門用袋の片面の単純にした概略平面図；
図２は、図１の人工肛門用袋の反対面の単純にした概略平面図；
図３は、図１の人工肛門用袋の拡大した断片の分解透視図；
図４は、図１の４−４線における断面図；
図５は、図４の一部切断拡大断片平面図；
図６は、図５の６−６線における断面図；
図７は、本発明の他の例の片面の単純にした概略平面図；
図８は、図７の例の反対面の単純にした概略平面図；
図９は、図７の９−９線における断面図；  および
図１０は、図９の拡大断片図である。
【００１６】
図面の各図において、同じ参照番号は同じ部分を示す。
図１において、本発明の一例を具体化した人工肛門用袋は一般に、参照番号１０で示されている。人工肛門用袋１０は、ガス不透過性で軟質で膨張しうる、適当な通常の熱可塑性材料から作られる。
【００１７】
人工肛門用袋１０は、使用者の腹部と反対方向に面する前部壁１２と、腹部に面する後部壁１４を包含し、両壁１２，１４は共に周囲の熱溶着部１６で接合している。かかる前部および後部壁１２および１４は、約４０〜１００ミクロン厚みを有している。人工肛門用袋１０はさらに、頂部１８、再閉鎖しうる開口端２２を持つ底部２０、および向かい合った側部２４および２６を包含する。なお、底部２０には、開口端２２を開閉する再使用可能なクランプ（図示せず）が設けられている。
【００１８】
人工肛門用袋１０の後部壁１４において、底部２０より頂部１８の近くに小孔に掛合する開口２８が形成されている。この小孔掛合開口２８は、リング形状の公知の軟質プラスチックカップリングフランジ３０によって縁取りされ、該カップリングフランジ３０は後部壁１４の外側面３２に適当な公知の方法で接合されている。カップリングフランジ３０は、小孔のまわりに設けられる公知の連結リングフランジ（図示せず）と連結する。
【００１９】
人工肛門用袋１０の頂部１８および側部縁２６の近くで、かつ小孔掛合開口２８から外れた位置の前部壁１２に、Ｓ型のガス排出スリット３６（図３）が形成されている。
前部壁１２のガス排出スリット３６と実質的に整合する内側面４２に、イングランド、ウエスト・ヨークシャのフロイデンベルグ・インダストリアルによって、商品名「フロイデンベルグ・コード（Ｆｒｅｕｄｅｎｂｅｒｇ  Ｃｏｄｅ）９３４７」で売られているタイプの概して円形の脱臭フィルター４０が設けられている。脱臭フィルター４０は、活性炭を含有するポリウレタンフォームから作られ、かつ２つのカバー層４６および４８間にはさまれた濾過層４４（図６）を包含する。カバー層４６はガス透過性で、ホットメルト接着剤の層を持つ極微小不織材料から形成され、一方、カバー層４８はガス半透過性の微孔質フィルムである。脱臭フィルターは、直径約２４．４±１ｍｍおよび厚み２〜３ｍｍが好ましい。
【００２０】
脱臭フィルター４０は、前部壁１２の内側面４２に対し、カバー層４６の周囲ガス不透過性接着ゾーン５０（図５および６）で接合される。ホットメルト接着剤層の接着ゾーン５０を加熱して、約８．６ｍｍの接着幅を形成する。このようにして、接着ゾーン５０の境界内のガス透過性カバー層４６に、直径約７．１ｍｍの中心円形の非接着領域５２が形成される。非接着領域５２は、前部壁１２のガス排出スリット３６と向かい合う。
脱臭フィルター４０のカバー層４８はガス半透過性なので、ガスは脱臭フィルター４０の周囲縁５８（図５および６）にしか浸入できない。
人工肛門用袋の前部壁１２に対し、内側面４２の脱臭フィルター４０を取巻く周囲接着ゾーン６４（図５および６）に沿って、エチレン−酢酸ビニルコポリマーから形成され、かつ多数の微孔性穴６２を持った直径約４５ｍｍの多孔質フィルム６０（図３）が接合されている。
【００２１】
好ましくはフォーメックス（Ｆｏａｍｅｘ）製、商品名「プロテクタイア（Ｐｒｏｔｅｃｔａｉｒｅ）−Ｚ」の連続気泡ポリウレタンフォームから形成される保護フィルター７０が、多孔質フィルム６０と、ポリエチレンから作られる流体不浸透性フィルムウェファー７２間にサンドイッチされている。保護フィルター７０は、１インチ当り４０個の気孔などのワンポアサイズ（ｏｎｅ  ｐｏｒｅ  ｓｉｚｅ）のもの、あるいはツーポアサイズ（ｔｗｏ  ｐｏｒｅ  ｓｉｚｅ）を持つ２層配列のものであってよい。積重ねた配列が好ましく、該配列は、多孔質フィルム６０に隣接し、かつ孔径約４５ｍｍの１インチ当り約４５個の気孔を有する層７１を包含する。また保護フィルター７０は、層７１に隣接する厚み約３．２ｍｍの、かつ孔径約４５ｍｍの１インチ当り約３０個の気孔を有する層７３も包含する。
【００２２】
流体不浸透性フィルムウェファー７２は、前部壁１２の内側面４２に対し、多孔質フィルム６０を取巻く不連続周囲接着ゾーン７６で接合されている。好ましくは６つの等間隔の不連続部７８が接着ゾーン７６に設けられ、約５０ｍｍの長さに延びている。
【００２３】
人工肛門用袋１０の使用操作において、カップリングフランジ３０を、小孔のまわりに設けたリング型の嵌め合いカップリングフランジ（図示せず）に連結する。このカップリングフランジの連結によって、人工肛門用袋１０と小孔間に漏れ止め密封シールが形成される。底部２０の開口端２２を、適当な公知のいずれかの解除可能なクランプ（図示せず）を用いて、漏れ止め密封状態で締付け閉鎖する。
このようにして、半液体およびガス状排泄物（図示せず）は、人工肛門用袋１０の前部および後部壁１２および１４で形成される収集室９０（図６）へ浸入することができる。半液体排泄物およびガス状排泄物は収集室９０にたまり、ガス状排泄物は脱臭フィルター４０およびガス出口（ガス排出スリット）３６を介して排出される。
【００２４】
排泄物ガスの脱臭フィルター４０に到達する前に、フィルムウェファー７２の接着ゾーン７６の不連続部７８を通過しなければならない。フィルムウェファー７２の周囲縁８０は、図６で最も明らかにされているように、左側が接着されていないので、排泄物ガスが不連続部７８に浸入する通路が付与され、たとえば矢印８２で示される通路に沿って浸入する。
【００２５】
図５で最も明らかに示されるように、保護フィルター７０は不連続部７８の通路の中にある。このように、保護フィルター７０は、半液体排泄物の通過をブロックするが、それは保護フィルター７０が半液体排泄物によって乗り越えられない孔大きさの小さい曲がりくねった通路を付与するからである。また保護フィルターは、表面張力によって形成する流体の気泡を生成せしめる。流体の気泡はフォームに付着し、半液体排泄物の流れを妨害する。使用者の体の動きによって、表面張力気泡の破壊と再生が進行し、これはガスが移動する通路を付与する。半液体排泄物は、不連続部７８の寸法および数によって、フィルムウェファー７２を詰まらせない。
【００２６】
このようにして、排泄物ガスは図６の矢印９２で示される方向に、保護フィルター７０および多孔質保護フィルム６０の微孔性穴６２を通過して、環状周囲空間８４に入る。多孔質保護フィルム６０の周囲空間８４で区切られた円形部は、脱臭フィルターのガス不透過性カバー層４８によってブロックされるので、排泄物ガスは矢印９２で示される方向へ、脱臭フィルター４０の周囲縁５８の方向に進む。
【００２７】
そして、ガス流は図６の矢印９４で示されるように濾過層４４の中に入り、次いで脱臭フィルター４０と前部壁１２の間の中心非接着領域５２へ進む。ガス出口スリット３６は、非接着領域５２と整合し、排泄物ガスが人工肛門用袋１０から矢印９６で示される外側へ排出する排気点を付与する。この配列では、脱臭フィルター４０は保護フィルター７０によって、半液体排泄物との接触から保護されるが、それは保護フィルター７０が半液体排泄物を通さず、かつガス状排泄物の流れを妨げないからである。
【００２８】
このように多段フィルターシステムは、一連の構成部材、すなわち、脱臭フィルター４０、多孔質保護フィルム６０、並びに脱臭フィルター４０の汚染保護を付与する保護フィルター７０およびフィルムウェファー７２を包含する。これらの構成部材は、共に作用して、ガスの有効な脱臭を付与し、かつ脱臭フィルター４０の寿命を延ばす。
人工肛門用袋の他の具体例は概して、図７〜１０において参照番号１００で示されている。
【００２９】
図９および１０において、人工肛門用袋１００は、連絡口１０６を介して互いに通じている、一対の隣接した室セクション１０２および１０４を包含する。室セクション１０２および１０４は一般に、その頂部および側部が周囲熱溶着部１１０で接合されており、隣接した頂部１１２および１１３を有する。室セクション１０４の比較的に短い側部１１４および１１６は、室セクション１０２の比較的長い側部１１５および１１７と重なり合っている。
【００３０】
室セクション１０２は、通常除去可能クランプ（図示せず）で閉鎖状態に維持される開口端１２２を持つ底部１２０を有している。室セクション１０４は、永久に密封閉鎖した端部１２６を持つ底部１２４を有している。図７および８で最も明らかに示されるように、室セクション１０４が室セクション１０２より長さが短いので、底部１２４は底部１２０より上の位置にある。留意される点は、図８の後方に位置する底部１２４は、人工肛門用袋１００が透明であることが好ましいので、実線で示されていることである。
【００３１】
図９および１０において、室セクション１０２は、排泄物収集室１３４を形成する、間隔をあけた壁１３０および１３２を有している。壁１３０には、カップリングフランジ３０で囲まれた小孔掛合開口２８が設けられている。
室セクション１０４は、ガス出口室１５０を形成する、間隔をあけた壁１４０および１４２を包含する。互いに隣接する壁１４２および１３２は、周囲の熱溶着部１１０以外は共に接着する必要がない。壁１３２は壁１３０より短く頂部１１２に達せず、壁１４２も壁部１３２と同じ程度に、壁１４０より短かく頂部１１３に達せず、これによって連絡口１０６を形成する。
【００３２】
壁１４０に、Ｓ型のガス出口スリット３６（図７）が形成されている。脱臭フィルター４０は、前記人工肛門用袋１０の脱臭フィルター４０の場合と同様に、ガス出口スリット３６と整合し、かつ多孔質保護フィルム６０が裏打ちされている。
保護フィルター７０と同じ連続気泡フォーム材料から作られる保護フィルター１４６は、孔径約４５ｍｍの１インチ当り約４０個の気孔を有する。保護フィルター１４６は、壁１４０から壁１４２へガス出口室１５０を横切って、連絡口１０６の領域の頂部１１３付近に位置している。必要ならば、連絡口１０６をカバーできるように、保護フィルター１４６を連絡口１０６に横切って配置することができる。すなわち、保護フィルター１４６は、ガス脱臭フィルター４０を通るガス状排泄物の出口流路に対して、ガス脱臭フィルター４０に先行する位置にあるので、連絡口１０６を通るいずれのガス流も、脱臭フィルター４０に到達する前に必ず保護フィルター１４６を通過するようになっている。必要ならば、前記保護フィルター７０の場合と同様に、保護フィルター１４６を２層構造で形成することも可能である。
【００３３】
壁１４０および１４２間の間隔をあけた多数の熱溶着部１４８（図９および１０）は、脱臭フィルター４０に対する保護フィルター１４６の位置を固定することにより、保護フィルター１４６のいずれの部分も脱臭フィルター４０と重なり合うことはない。
人工肛門用袋１００の使用操作において、カップリングフランジ３０を、小孔のまわりに設けた嵌め合いカップリングフランジ（図示せず）に連結することにより、実質的な漏れ止め密封シールを形成する。室セクション１０２の底部１２０の開口端１２２を、適当な公知のいずれかの解除可能なクランプ（図示せず）を用いて、漏れ止め密封状態で締付け閉鎖する。このようにして、半液体およびガス状排泄物（図示せず）は、小孔掛合開口２８を介して収集室１３４へ浸入することができる。
【００３４】
半液体排泄物およびガス状排泄物は収集室１３４にたまり、ガス状排泄物は矢印１５４（図１０）で示される方向へ、ガス出口室１５０に流入し、次いで脱臭フィルター４０およびガス出口（出口スリット）３６を介して排出される。
閉じ込められたガス状排泄物は、脱臭フィルター４０およびガス出口３６に到達する前に必ず連絡口１０６を通過し、そこで保護フィルター１４６に直面する。ガス状排泄物は矢印１５６および１５８で示される通路に沿って、保護フィルター１４６を通り、次いで矢印１６２で示されるように、熱溶着部１４８間の空間１６０を流通する。
【００３５】
ガス状排泄物は図１０の矢印１６３で示されるように、保護フィルター１４６より下のガス出口室１５０の残部に充満する。次いでガス状排泄物は、多孔質保護フィルム６０の気孔６２を通って、脱臭フィルター４０を取巻く環状周囲空間８４に入り、次いで脱臭フィルター４０の周囲縁５８に流入し、ここでガスは濾過層４４に浸入する。ガスは矢印１６４および１６５で示されるように、濾過層４４を通って脱臭フィルター４０の中心へ流れ、中心非接着領域５２を介して流出し、ここで、矢印１６６で示されるように、ガス出口３６を介して外側へ排出される。
【００３６】
半液体排泄物が連絡口１０６に到達した後、保護フィルター７０の場合に記載した同じ理由から、保護フィルター１４６によって、連絡口１０６の通過がブロックされる。従って、保護フィルター１４６に半液体排泄物がたまって、ガス状排泄物の通過をブロックするということはない。保護フィルター１４６は、脱臭フィルター４０と半液体排泄物を実質的に隔離するため、脱臭フィルター４０の半液体排泄物による汚染が保護される。
【００３７】
当業者にとって自明の如く、人工肛門用袋１０において脱臭フィルター４０上の保護フィルター７０の配列、または人工肛門用袋１００のガス出口室１５０および／または連絡口１０６を横切る保護フィルター１４６の配列は、底部開口端を有さないものも含めほとんどの種類の人工肛門用袋にも適用することができる。
【００３８】
以上の説明から明らかな本発明の幾つかの利点として、脱臭フィルターの汚染保護を付与し、かつ袋にたまった半液体排泄物による脱臭フィルターの不注意な早すぎる汚染に対する安全を助成する、多段フィルターシステムを持つ人工肛門用袋が包含される。当該人工肛門用袋の他の利点は、多段フィルターシステムによって、使用者が、袋の内容物を移動させるかもしれない活動中または体勢においても使用することができ、しかもかかる活動が脱臭フィルターの汚染を引起こすという心配がないことである。さらに本発明の他の利点は、脱臭フィルターが半液体排泄物によって時機尚早に汚染される可能性がないため、人工肛門用袋をその通常の定格寿命の間確実に着用できることである。
【００３９】
上記の点を考慮すれば、本発明の幾つかの目的が達成され、かつそれ以外の有利な結果も得られることが理解されよう。
本発明の技術的範囲を逸脱せずに、上記構成および方法における各種の改変を行うことができるので、上記説明に含まれるあるいは添付図面に示される全ての事項は、あくまで例示であって、これらに限定されるものでないことが意図される。
【図面の簡単な説明】
【図１】本発明人工肛門用袋の一例を示す平面図である。
【図２】図１の底面図である。
【図３】図１の拡大された一部を示す分解透視図である。
【図４】図１の４−４線における断面図である。
【図５】図４の拡大した一部を示す一部切断平面図である。
【図６】図５の６−６線における断面図である。
【図７】本発明人工肛門用袋の他の例を示す平面図である。
【図８】図７の底面図である。
【図９】図７の９−９線における断面図である。
【図１０】図９の拡大した一部を示す断面図である。
【符号の説明】
１０…人工肛門用袋
１２…前部壁
１４…後部壁
１６…熱溶着部
１８…頂部
２４…側部
２６…側部
２８…小孔掛合開口
３０…カップリングフランジ
３６…ガス排出スリット（ガス出口）
４０…脱臭フィルター
４４…濾過層
４６…カバー層
４８…カバー層
６０…多孔質フィルム
６２…気孔
７０…保護フィルター
７２…フィルムウェファー
８４…環状周囲空間
９０…排泄物収集室
１００…人工肛門用袋
１０２…室セクション
１０４…室セクション
１３４…排泄物収集室
１３６…出口スリット
１４６…保護フィルター
１４８…熱溶着部
１５０…ガス出口室
【図１】
0003590084.tif 000002
【図２】
0003590084.tif 000003
【図３】
0003590084.tif 000004
【図４】
0003590084.tif 000005
【図５】
0003590084.tif 000006
【図６】
0003590084.tif 000007
【図７】
0003590084.tif 000008
【図８】
0003590084.tif 000009
【図９】
0003590084.tif 000010
【図１０】
0003590084.tif 000011